(57)【特許請求の範囲】
【請求項１】
ボトル表面に熱収縮性の樹脂製フィルムを胴巻きしかつ熱収縮によって密着させ、前記ボトル形状の一部としたシュリンク包装体であって、
前記樹脂製フィルムは、第一の樹脂製フィルム及び第二の樹脂製フィルムであり、
前記第一の樹脂製フィルムは、特定方向のミシン目を前記第一の樹脂製フィルムに貫通するように加工し、熱収縮させることによって前記第一の樹脂製フィルムをボトルに密着させると共に、前記ミシン目が熱収縮によってミシン目の加工方向に直交する両側部分が凸状を成すようにしたものであり、
前記ボトル表面に密着させると共に前記ミシン目が凸状を成すようにした前記第一の樹脂製フィルムの表面に前記第二の樹脂製フィルムを胴巻きして熱収縮によって密着させたものであることを特徴とするシュリンク包装体。
【請求項２】
ミシン目の加工方向は、第一の樹脂製フィルムの主たる収縮方向に対して直角に設けたことを特徴とする請求項１に記載のシュリンク包装体。
【発明の詳細な説明】
【技術分野】
【０００１】
本発明はシュリンク包装体に関する。
【背景技術】
【０００２】
従来、製品に使う容器の選択においては、様々な条件の中での汎用形状の（表面形状に特異な成型形状を有さない）容器を採用することがある。
【０００３】
しかしながら、汎用形状の容器は滑り止めなどの機能性に乏しく、その使用性の向上が課題としてある。
【０００４】
そこで、汎用形状の容器を採用しつつシュリンクラベルを利用した容器の滑り止め機能を向上させるべく鋭意研究を行なった。
【０００５】
シュリンクラベルは、従来より、液体洗浄剤や口腔洗口液等を入れた容器に装着することが多い。このようなシュリンクラベルは商品名等の表示機能と、容器を傷や衝撃から保護する機能を有している。
【０００６】
しかしながら、シュリンクラベルは、一般的にそれ自体が特有に形状を持っているわけでなく、熱収縮性を有する第一の樹脂製フィルムを容器に装着し、熱収縮させることで容器表面に密着させ、容器形状と同化するものである。
【０００７】
そのため、従来のシュリンクラベルではシュリンクフィルム自体の印刷等の加飾による差別化が主な機能であった。
【０００８】
例えば、特開２００５−２８０７８９号（：特許文献１）では、ボトルのシュリンク包装体であって、接着剤等を塗布された非熱収縮部と塗布されていない熱収縮部を積層したシュリンクラベルをボトルに巻き付けと、シュリンクラベル上にシュリンクフィルムを外巻きする包装体が開示されている。主に硝子容器のボトル破損時にシュリンクフィルムがあることで、液漏れが検出できないことを防止するための工夫として、ストレッチ方向に平行に接着剤などを塗布し、収縮率の低い部分を再現する。
【０００９】
それにより、段ボールのコルゲート様形状のような収縮を作りかつもう一重上巻することで外観を整えている。この場合、コルゲート形状の部分を通じ、ボトル破損時の液通路を形成し、液漏れ検出精度を向上させることができるものとしている。容器破損の液漏れの検出性能の向上を目的としている。
【００１０】
また、特開２００５−１５０３０号（：特許文献２）では、光沢と非光沢の整列された多角図形の下地印刷を施した熱収縮性筒状ラベル（シュリンクフィルム）を容器に装着している。容器の加飾性向上としてシュリンクフィルムに光沢と非光沢の整列された多角図形の下地印刷を施し、商品名や意匠印刷以外の手段で加飾性を向上させるものである。また、容器加飾の手段が印刷のみによるものである。
【００１１】
上記各特許文献１〜２等の従来技術では、ボトルに装着するシュリンクフィルムは加飾によって装飾性を向上できるが、滑り止め等の機能性向上には不十分であった。
【先行技術文献】
【特許文献】
【００１２】
【特許文献１】特開２００５−２８０７８９号公報
【特許文献２】特開２００５−１５０３０号公報
【発明の概要】
【発明が解決しようとする課題】
【００１３】
本発明は、上記実情に鑑み、シュリンクフィルムに特定の加工を施すことによって容器の滑り止め機能や外観差別性を持たせることを可能にする容器に設けるシュリンク包装体を提供しようとするものである。
【課題を解決するための手段】
【００１４】
本発明者は、シュリンクフィルムに、ある条件でミシン目を入れて、ボトルに装着して熱収縮させた場合、ミシン目の切れ目部分がフィルム表面から外方に飛び出す形状（凸形状）で収縮する特性を見いだし、このミシン目の収縮形状（凸形状）により容器に滑り止め機能および外観差別性を持たせることが可能になるものである。
【００１５】
ただ、ミシン目はそれ自体が破れ易い状態であることからさらに工夫し、もう１重のシュリンクフィルムを装着・収縮させることで凸凹形状を保ちながらフィルム自体の強度確保を可能にできる。つまり、本発明は、シュリンクラベルがある条件でのミシン目の収縮特性を用い単純な表面形状の容器の滑り止め機能およびデザイン加飾性改善を実現するものである。
【００１６】
本発明は以下の構成によって課題を解決している。
【００１７】
本発明は、  ボトル表面に熱収縮性の樹脂製フィルムを胴巻きしかつ熱収縮によって密着させ、前記ボトル形状の一部としたシュリンク包装体であって、
前記樹脂製フィルムは、第一の樹脂製フィルム及び第二の樹脂製フィルムであり、
前記第一の樹脂製フィルムは、特定方向のミシン目を前記第一の樹脂製フィルムに貫通するように加工し、熱収縮させることによって前記第一の樹脂製フィルムをボトルに密着させると共に、前記ミシン目が熱収縮によってミシン目の加工方向に直交する両側部分が凸状を成すようにしたものであり、
前記ボトル表面に密着させると共に前記ミシン目が凸状を成すようにした前記第一の樹脂製フィルムの表面に前記第二の樹脂製フィルムを胴巻きして熱収縮によって密着させたものであることを特徴とするシュリンク包装体である。
【００１９】
また、本発明においては、ミシン目の加工方向は、第一の樹脂製フィルムの主たる収縮方向に対して直角に設けたことが好適である。
【発明の効果】
【００２０】
本発明のシュリンク包装体によれば、樹脂製フィルムが、第一の樹脂製フィルムであって特定方向のミシン目を前記第一の樹脂製フィルムに貫通するように加工し、熱収縮させることによって第一の樹脂製フィルムをボトルに密着させると共に、前記ミシン目が熱収縮によってミシン目の加工方向に直交する両側部分が凸状を成すようにしたので、滑り止め機能および加飾性形状を合わせて有することができる。
【００２１】
また、前記包装体表面に第二の樹脂製フィルムを胴巻きして熱収縮によって密着させることによって、滑り止め様形状および加飾性形状（鱗模様等）となったミシン目から第一の樹脂製フィルムが切れてしまうことを防ぐことができる。
【００２２】
また、ミシン目の加工方向は、第一の樹脂製フィルムの主たる収縮方向に対して直角に設けたことによって、主たる収縮方向に平行方向は除いてもよい。
【図面の簡単な説明】
【００２３】
【図１】（ａ）は本発明の第１の実施形態に係るシュリンク包装体の全体説明図、（ｂ）は樹脂フィルムの拡大説明図である。
【図２】第２の実施形態に係るシュリンク包装体の説明である。
【図３】第３の実施形態に係るシュリンク包装体の説明である。
【図４】第４の実施形態に係るシュリンク包装体の説明である。
【図５】各実施形態に係るシュリンク包装体の試験結果を比較する図である。
【発明を実施するための形態】
【００２４】
以下、本発明の実施形態について添付図面を参照して説明する。
【００２５】
図１は本発明の第１の実施形態に係るシュリンク包装体の説明図である。
【００２６】
図１に示すように、シュリンク包装体は、ボトル（容器）１０表面に熱収縮性の第一の樹脂製フィルム（第一の樹脂製フィルム１２）を胴巻きしかつ熱収縮によって密着させ、前記ボトル形状の一部としたものである。
【００２７】
ボトル１０は液体洗剤、液体柔軟剤、液体漂白剤等の液体製品を収容する容器であって、胴部１０ａの上端の肩部を上細く形成してその先端の口部１０ｂが胴部よりかなり細く筒状に開口形成されている。口部１０ｂには、螺合によって着脱自在にキャップ１０ｃを設けて使用時・不使用時に当該口部１０ｂの開口を開閉可能にしている。
【００２８】
胴部１０ａは横断面形状が長円形形状または円形形状のもの、かつ、側面視で上下肩部がやや窄まっている形状である。表面部に凹凸があまりない汎用的なボトル１０である。
【００２９】
前記第一の樹脂製フィルム１２は、特定方向のミシン目１４を前記第一の樹脂製フィルム１２に貫通するように加工したものである。前記第一の樹脂製フィルム１２は収縮させることによって当該第一の樹脂製フィルム１２をボトル１０に密着させると共に、前記ミシン目１４が熱収縮によってミシン目１４の加工方向に直交する両側部分が凸状を成すようにしたものである。
【００３０】
第一の樹脂製フィルム１２は、図１に示すように、その主たる収縮方向（Ｐ）に対して直角方向（Ｗ）に入れたミシン目１４が収縮時に綺麗に収縮される。ミシン目１４は切り込み方向にある程度の長さ（１．０〜２．８ｍｍ）に切り幅を取って形成される。第１の実施形態では、前記収縮方向（実施形態では、ボトル１０に第一の樹脂製フィルム１２を巻き付ける周方向に対応している）に対して直角の方向にミシン目１４を入れる。第一の樹脂製フィルム１２を収縮させることによって、ミシン目１４が開き、ミシン目１４の縁部が立ち上がって凸部を形成する。
【００３１】
この場合、ミシン目１４の切り幅は刃物の設計上生じる誤差を考慮し、０．８ｍｍ〜３．０ｍｍとすることが好ましく、１．５ｍｍ以上にすることによって滑り止め様の凸状になった収縮形状を確実に再現できる。それ以下であると開きが不十分で凸状の収縮形状を実現できない。
【００３２】
また、第一の樹脂製フィルム１２は１軸延伸、２軸延伸等種類によって収縮方向が異なるのがその収縮方向に対して直角にするとミシン目１４が開き易く好適であるが、本発明においては種々の角度を持ってミシン目１４を形成することができるが、少なくとも、収縮方向に平行にミシン目１４が形成されておらず、凸状の収縮形状を実現できる角度であることがさらに好ましい。
【００３３】
第一の樹脂製フィルム１２は、ＰＥＴ（ポリエチレンテレフタレート）を材料に用いることができ、厚さが４０μｍが主流で、６０μｍぐらいまで用いることができる。また、ＯＰＳ（二軸延伸ポリスチレンシート：縦横に延伸してシート状にした素材）では、厚さが４０μｍが主流で、６０μｍぐらいまで用いることができる。塩化ビニールも同様に用いることができる。
【００３４】
また、収縮のための加熱処理には、６５〜１００℃と温度条件とすることが好ましく、温風を当てるか、または、仕上がりの良さからスチーム処理による加熱処理が好ましい。
【００３５】
なお、前記包装体では、図示しないが、加飾性や持った時のゴツゴツ感を緩和するため、第一の樹脂製フィルム１２の外周面にさらに第二の樹脂製フィルムを胴巻きして熱収縮によって密着させることができる。第二の樹脂製フィルムの材料は第一の樹脂製フィルム１２と同じまたは異なる材質、いずれをも使用することができる。第二の樹脂製フィルムに装飾性を向上できる。
【００３６】
次に第２の実施形態に係るシュリンク包装体は、図２に示すように、ミシン目１４の方向が収縮方向に対して、角度６８度の傾きを呈しているものである。
【００３７】
また、第３の実施形態に係るシュリンク包装体は、図３に示すように、ミシン目１４の方向が収縮方向に対して、角度４５度の傾きを呈しているものである。
【００３８】
また、第４の実施形態に係るシュリンク包装体は、図４に示すように、ミシン目１４の方向が収縮方向に対して、角度２３度の傾きを呈しているものである。
【００３９】
以上説明したとおち、実施形態のシュリンク包装体によれば、前記第一の樹脂製フィルム１２が、第一の樹脂製フィルム１２であって特定方向のミシン目１４を前記第一の樹脂製フィルム１２に貫通するように加工し、熱収縮させることによって第一の樹脂製フィルム１２をボトル１０に密着させると共に、前記ミシン目１４が熱収縮によってミシン目１４の加工方向に直交する両側部分が凸状を成すようにしたので、滑り止め機能および加飾性形状を合わせて有することができる。
【００４０】
また、前記包装体表面に第二の樹脂製フィルムを胴巻きして熱収縮によって密着させることによって、滑り止め形状（凸形状）および加飾性形状（鱗模様等）となったミシン目１４から第一の樹脂製フィルム１２が切れてしまうことを防ぐことができる。
【００４１】
また、ミシン目１４の加工方向は、第一の樹脂製フィルム１２の主たる収縮方向に対して直角に設けたことによって、主たる収縮方向に平行方向は除くことが好適である。
【００４２】
図５は、上記第１、第２，第３、第４の各実施形態に係るシュリンク包装体の実施品、つまり、ミシン目１４の方向が第一の樹脂フィルムの収縮方向に対して各角度（９０度、６８度、４５度、２３度）のものと、収縮方向に平行にミシン目１４を形成したもの（比較例）とについて試験した結果を示している。この場合、これら第１〜第４の実施形態（図５中［１］〜［４］）と比較例（図５中［５］）とのそれぞれに、各切り幅（１．０ｍｍ、１．５ｍｍ、２．８ｍｍ）でミシン目１４を形成したものである。樹脂製フィルムはＰＥＴあるいはＯＰＳ株式会社フジシール社製の素材であってその厚さ４０μｍ〜６０μｍのものを使用した。収縮する熱は６５℃〜１００℃のスチームで与えている。
【００４３】
試験結果を図５に示す。試験者がボトル１０を掴んだ状態で検査している。
【００４４】
図５に示すように、滑り止め効果に関して、第１の実施形態の樹脂製フィルム（ミシン目１４角度９０度）では、ミシン目１４幅が２．８ｍｍで滑らず、１．５ｍｍでやや滑りにくく、１．０ｍｍでやや滑り易かった。
【００４５】
第２の実施形態の樹脂製フィルム（ミシン目１４角度６８度）では、ミシン目１４幅が２．８ｍｍで滑らず、１．５ｍｍでやや滑りにくく、１．０ｍｍでやや滑り易かった。
【００４６】
第３の実施形態の樹脂製フィルム（ミシン目１４角度４５度）では、ミシン目１４幅が２．８ｍｍ、やや滑りにくく、同ミシン目１４幅が１．５ｍｍでやや滑り易く、ミシン目１４幅が１．０ｍｍで滑り易かった。
【００４７】
第４の実施形態の樹脂製フィルム（ミシン目１４角度２３度）では、ミシン目１４幅が２．８ｍｍでやや滑り易く、１．５ｍｍと１．０ｍｍで滑り易かった。
【００４８】
比較例の樹脂製フィルムでは（ミシン目１４角度０度）、ミシン目１４幅が２．８ｍｍ、１．５ｍｍ、１．０ｍｍと問わずに滑り易かった。
【００４９】
また、模様再現性に関しては、第１の実施形態（ミシン目１４角度９０度）と、第２の実施形態（ミシン目１４角度６８度）と、第３の実施形態（ミシン目１４角度４５度）の各樹脂製フィルムでは、ミシン目１４幅が２．８ｍｍ、１．５ｍｍ、１．０ｍｍを問わずに滑り止め形状の模様（鱗模様）がはっきりしていた。つまり模様の再現性が良かった。
【００５０】
また第４の実施形態の樹脂製フィルム（ミシン目１４角度２３度）では、ミシン目１４幅が２．８ｍｍでは滑り止め模様がややはっきりしている。ミシン目１４幅が１．５ｍｍではややはっきりせず、１．０ｍｍではっきりしていなかった。
【００５１】
そして、比較例の樹脂製フィルムでは第１の実施形態では、（ミシン目１４角度平行）では、ミシン目１４幅が２．８ｍｍ〜１．０ｍｍのいずれでも滑り止め模様がはっきりしていなかった。
【００５２】
以上から、本発明において、上記条件の熱収縮製の樹脂製フィルムでは、好適にはミシン目の切り幅１．５ｍｍ以上で角度４５度以上であることが、滑り止め効果および模様再現性が好ましいものであることが理解される。
【産業上の利用可能性】
【００５３】
本発明のシュリンク包装体は、各種液体製品を収容するボトルに被覆する熱収縮性の樹脂製フィルムに利用することができる。
【符号の説明】
【００５４】
１０  ボトル
１０ａ  胴部
１０ｂ  口部
１０ｃ  キャップ
１２  樹脂製フィルム
１４  ミシン目
【図１】
0005637800.tif 000002
【図２】
0005637800.tif 000003
【図３】
0005637800.tif 000004
【図４】
0005637800.tif 000005
【図５】
0005637800.tif 000006